(57)【要約】【課題】塗膜転写具に転写後の塗膜を押圧するための押圧部材を設け、転写時の押しつけが不十分な塗膜を押圧し剥離を防止することができる塗膜転写具を提供すること。【解決手段】転写用の塗膜を表面に積層したテープ基材をケース本体内に収容し、当該ケース本体から表出させながら前記テープ基材を繰り出すことで、前記塗膜を被転写物に転写するように構成した塗膜転写具であって、軟質の合成樹脂素材によって形成され、前記ケースに対して着脱自在に装着することで前記転写部を覆う保護部材を有し、当該保護部材には、被転写物に転写された塗膜を押圧するための押圧部が設けられていること。【選択図】        図１
2004160695.tif 000002
【特許請求の範囲】
【請求項１】
転写用の塗膜を表面に積層したテープ基材をケース本体内に収容し、当該ケース本体から前記テープ基材を繰り出すことで、前記塗膜を被転写物に転写するように構成した塗膜転写具であって、
軟質の合成樹脂素材によって形成され、前記ケースに対して着脱自在に装着することにより前記転写部を覆う保護部材を有し、
当該保護部材には、被転写物に転写された塗膜の貼着をより確実にするために、前記塗膜を押圧するための押圧部が設けられていることを特徴とする塗膜転写具。
【請求項２】
前記ケース本体の一部には、前記保護部材に設けられた押圧部が嵌合する嵌合凹部が形成されていることを特徴とする請求項１記載の塗膜転写具。
【請求項３】
前記保護部材は、前記ケース本体に対して連結帯を介して接続されていることことを特徴とする請求項１又は２記載の塗膜転写具。
【発明の詳細な説明】
【０００１】
【発明の属する技術分野】
本願発明は、修正用の塗料や、写真その他の絵柄を表すように積層した塗料を、紙面その他の被転写物に転写する塗膜転写具に関する。
【０００２】
【従来の技術】
従来、修正用の塗料や、写真その他の絵柄を表すように積層した塗料を、紙面その他の被転写物に転写する転写式修正具（特許文献１参照）、塗膜転写具（特許文献２参照）等が知られている。
これらは、テープ基材の表面に転写用の塗料を積層したテープを内蔵したものであり、テープを繰り出すことでケースの一部に設けられた転写部において被転写物に塗料（塗膜）を転写し、同時に塗膜を剥離させたテープ基材をケース内に回収するというものである。
【０００３】
【特許文献１】
実開平５−８６９５３号公報
【特許文献２】
登録実用新案公報第３０５７８５１号公報
【０００４】
【発明が解決しようとする課題】
上記修正具および転写具は、文字等の修正用に使用する場合、修正用白色液等の液体塗料を塗布するのに比べて手軽に使用できるという利点がある。また、既に塗膜として乾燥若しくは半乾燥している塗料を貼り付けるものであるので、液体塗料のように塗料が乾燥するまで長時間待たなければならないということがない。
しかし、このような修正具等であっても、被転写物に対する塗膜の押しつけが十分に行われないと、端縁部から浮き上がり被転写物から剥離する場合がある。
【０００５】
本願発明は、上記課題に鑑み案出されたものであって、塗膜転写具に転写後の塗膜を押圧するための押圧部材を設け、転写時の押しつけが不十分な塗膜を押圧し剥離を防止することができる塗膜転写具を提供することをその課題とする。
【０００６】
【課題を解決するための手段】
本願請求項１記載の塗膜転写具は、上記目的を達成するため、
転写用の塗膜を表面に積層したテープ基材をケース本体内に収容し、当該ケース本体から前記テープ基材を繰り出すことで、前記塗膜を被転写物に転写するように構成した塗膜転写具であって、
軟質の合成樹脂素材によって形成され、前記ケースに対して着脱自在に装着することにより前記転写部を覆う保護部材を有し、
当該保護部材には、被転写物に転写された塗膜の貼着をより確実にするために、前記塗膜を押圧するための押圧部が設けられていることを特徴とする。
【０００７】
また、上記目的を達成するため本願請求項２記載の発明は、請求項１記載の塗膜転写具であって、
前記ケース本体の一部には、前記保護部材に設けられた押圧部が嵌合する嵌合凹部が形成されていることを特徴とする。
【０００８】
また、上記目的を達成するため本願請求項３記載の発明は、請求項１または２記載の塗膜転写具であって、
前記保護部材は、前記ケース本体に対して連結帯を介して接続されていることことを特徴とする。
【０００９】
【発明の実施の形態】
以下、本願発明の一実施の形態を図面を用いて説明する。
図１（ａ）および図１（ｂ）は、主要部を断面図として表した本願発明に係る塗膜転写具の側面図であり、同図において１は塗膜転写具（以下単に「転写具」という。）を表している。
転写具１は、主な構成要素としてケース３と、当該ケース３内に設けられているテープ５およびテープ繰り出し部材７と、テープ繰り出し部材７の一端に位置しケース３から表出した転写部９と、当該転写部９を覆う保護部材１１を有している。
ケース３は、比較的硬質の合成樹脂素材によって、手の平で握れる程度の大ささに形成された中空の部材である。当該レース３の内部には、既知のテープ繰り出し部材７が設けられている。テープ繰り出し部材７についての詳細な説明は省略するが、塗膜を設けた所定幅のテープ５を巻回しテープ５を繰り出すリール７ａと、当該リールと連動して回転し塗膜を転写した後のテープ基材を巻き取る巻き取りリール７ｂを有している。また、テープ繰り出し部材７の一端には前記転写部９がケース３から表出して設けられ、ケース３内から繰り出されたテープ５が塗膜の転写後に転写部９において折り返され、再びケース３内に回収されるようになっている。
転写部９は、被転写物に対して押しつけながらテープ５の長手方向に沿って動かすことによりテープ５の引き出しと塗膜の転写作用を行わせる部位であり、前記テープ繰り出し部材７とともに既知の手段となっている。
テープ５は、塗膜が剥離しやすい素材によって形成若しくは表面加工が施されたテープ基材を有し、当該テープ基材の表面に対して印刷手法により複数の絵や写真が塗膜として積層されたものである。すなわち、当該写真等の塗膜が、写真シールとして被転写物に貼り付けられるように転写可能に構成されたものである。
【００１０】
前記保護部材１１は、前記ケース３から表出した転写部９を覆う部材であり、未使用時には転写部９の保護、使用時には後述する塗膜の押しつけに使用する部材である。
保護部材１１は、ポリプロピレンを主成分とする軟質の合成樹脂素材によって、一端に開口を有する略半球状の殻体として一体的に成形されている。保護部材１１の頭頂部（開口の反対側）には突出部１３が設けられており、当該突出部１３が塗膜の押し付けに使用する押圧部となっている。
突出部１３は、前記のように軟質の合成樹脂素材によって形成されているので、塗膜を押す際に当接部位を均一に押圧力することができ、塗膜を引き裂いたり損傷させることなく被転写物に押圧し塗膜を密着させることができる。
【００１１】
突出部１３は、前述のようにポリプロピレンを成分とする素材を用いており、その外形形状は直径略５ｍｍ、高さ（突出量）が略３ｍｍに形成され、１ｍｍ程度の肉厚を有する中空状の部材となっている。また、先端部の表面形状は球面となっている。
このような素材および形状により、適切な押圧力を加えている場合には突出部１３は極端な変形を起こすことなく塗膜を押圧し、力を入れすぎた場合には突出部１３が潰れことで、一定以上の力が塗膜に対して加えられないようになっている。この突出部１３の変形は、使用者にとっても感覚的に把握しやすいものであり、使用者自身が意識せずとも力の調節が行われるであり、結果として適切な力で塗膜の押圧が行われるようになっている。
【００１２】
また、保護部材１１には細幅の連結帯１５が一体的に設けられており、連結帯１５の他端が前記ケース３の後部（転写部９の反対側）側の所定位置に取り付けられている。
当該連結帯１５によって、ケース３と保護部材１１が連結されているので、取り外した保護部材１１をなくすことがないようになっている。
また、ケース３の後部（転写部９の反対側）には、凹部１７が設けられている。当該凹部１７は、保護部材１１の前記突出部１３が嵌合し、嵌合による部材間の摩擦（嵌め合い）により嵌合状態が保持されるようになっている。この作用によって、使用時（転写時）には転写部９を覆っていた保護部材１１を取り外して凹部１７に嵌合させ、邪魔にならない位置に保持することができるようになっている（図１（ｂ）参照）。
【００１３】
図２および図３は、本願に係る転写具１の使用状態を表したものである。同図において、１９は紙面その他の被転写物を表しており、２１は被転写物１９の表面に転写された塗膜を表している。
使用開始に際して、初めに、転写部９を覆っている保護部材１１を外し、突出部１３をケース３後部の凹部１７に差し込み嵌合させる。これによって、保護部材１１を邪魔にならない位置に保持させることができる。次に、実際に被転写物１９に対する転写を開始する。すなわち、転写具１の転写部９を被転写物１９に押しつけながら後方に移動させることで、テープ５が被転写物１９との摩擦によってケース３内から引き出し、被転写物１９に塗膜２１を転写させることができる。転写によって塗膜を剥離した後のテープ（テープ基材）は、転写部９の先端で折り返され、テープ５の引き出しと同期してケース３内に回収される。このようにして、塗膜２１の転写が行われる。
なお、転写後のテープ基材を回収せず、引き出し後の使用済み部分をカッター等で切断しながら使用するタイプの転写具もある。本願発明は、どちらの形式の転写具であっても使用することができるものである。
【００１４】
本実施の形態では、最適な例として塗膜２１は、一つひとつ独立しており、各塗膜毎に絵若しくは写真等が塗料により形成されている。絵や写真毎に塗膜を独立させると、例えば自分の顔写真を塗膜として形成した場合には、自己の持ち物に顔写真シールとして当該塗膜を転写し、自己の所有物であることを表すことができる。また、名刺等に転写させると自分の顔写真付きの名刺を作成することができ、相手に顔写真付きの名刺を渡すことができる等の種々の用途がある。
【００１５】
前記のように、種々の物品、紙類等に塗膜を転写させることができるが、被転写物となる物品の材質や表面状態等の種々の条件によって、容易に塗膜が接着（貼着）する場合や、貼着しにくい場合がある。
容易に貼着するものについてはさほど問題はないが、貼着しにくい場合には一旦転写した後に、改めて塗膜２１を押しつけて貼着をより確実にすることが望ましい。
このような場合、浮き上がっている塗膜を押しつけることが行われるが、手指で押したのでは塗膜自体を汚してしまうし、押しつけるための部材が都合良く手元にあるケースはあまりない。また、押しつけに使用する部材によっては塗膜を傷つけたり、被転写物よりも塗膜との接着性がよい場合には逆に塗膜を剥がしてしまうことになる。
このような観点から、本願発明に係る転写具１では押圧部として突出部１３を形成した保護部材１１を設けている。
図３は、被転写物１９に転写された塗膜２１を、突出部１３によって押しつける際の様子を表したものである。
【００１６】
【発明の効果】
以上説明したように、本願発明に係る塗膜転写具は、突出部を備えた保護部材を有しているので未使用時における転写部の破損やテープの汚染等を防止することができ、使用時には前記突出部を用いてケースの一部に装着し邪魔にならないように保持させることができる。また、所定の塗膜を被転写物に転写した後に転写した塗膜を突出部によって押圧することができ、塗膜の接着を強固なものにすることができる。
すなわち、転写部の保護具としての機能と塗膜の押圧具としての機能を有した保護部材を提供することができ、さらに当該保護部材は使用時にはケースの一部に装着することで使用時の邪魔にならず、さらに、連結帯によってケースに接続されているので保護部材を紛失してしまうことがないという効果を有する。
【図面の簡単な説明】
【図１】本願発明に係る塗膜転写具の側面図である。
【図２】本願発明に係る塗膜転写具の使用状態を示す斜視図である。
【図３】本願発明に係る塗膜転写具の使用状態を示す斜視図である。
【符号の説明】
１  塗膜転写具
３  ケース
５  テープ
７  テープ繰り出し部材
９  転写部
１１  保護部材
１３  突出部
１５  連結帯
１７  凹部
１９  被転写物
２１  塗膜
【図１】
2004160695.tif 000003
【図２】
2004160695.tif 000004
【図３】
2004160695.tif 000005